(57)【要約】      （修正有）【課題】バンドの結束及びその解除が容易に行え、且つ繰り返し使用できる結束バンドを提供する。【解決手段】帯状の一方の面に長手方向に沿って、等間隔に複数の凹状の係止部１６を備え、帯状の一端は部分的に棒状部１８を成し、一端に連結片が設けたバンド本体２と、バンド本体２の連結片と連結可能な連結部を有し、バンド本体２を挿通し、適宜の位置で係止できるバンド保持部３とを備える結束バンド１であって、バンド保持部３には、バンド本体２を挿通可能な挿通溝を有し、挿通溝内には、バンド本体２の係止部１６を係止する係止爪を有し、バンド保持部３側面片側何れかに挿通溝へ繋がるバンド引き出しが可能な開口部が設けられ、バンド本体２をバンド保持部３に結束する際、バンド保持部３の挿通溝にバンド本体２を挿通し、適宣の位置で環状に結束ができ、開口部からバンド本体２を引き出すことで、結束された状態のバンド本体２を容易に解除できる。【選択図】図１
2014092264.tif 000002
【特許請求の範囲】
【請求項１】
帯状をなし一方の面に長手方向に沿って、等間隔に複数設けられた凹状の係止部を備え、その帯状の一端は部分的に棒状を成し、さらにその一端に連結片が設けられたバンド本体と、前記バンド本体の連結片と連結可能な連結部を有し、且つ前記バンド本体を挿通し、適宜の位置で係止できるバンド保持部とを備える結束バンドであって、前記前記バンド保持部には、前記バンド本体を挿通可能な挿通溝を有し、前記挿通溝内には、前記バンド本体の係止部を係止する係止爪を有し、前記バンド保持部側面片側何れかに前記挿通溝へ繋がるバンド引き出しが可能な開口部が設けられており、前記バンド本体を前記バンド保持部に結束する際、前記バンド保持部の挿通溝に前記バンド本体を挿通し、適宣の位置で環状に結束ができ、且つ前記開口部から前記バンド本体を引き出すことで、結束された状態の前記バンド本体を容易に解除できることを可能としたことを特徴とする結束バンド。
【請求項２】
前記バンド保持部の挿通溝の天井部の高さは、二段層に形成されており、前記バンド本体を挿通する側の前記挿通溝の入り口部の天井部は、高く広い間口に形成され、その床部には前記バンド本体の係止部を嵌合係止する係止爪を有し、前記バンド本体を引き出す側の前記挿通溝の出口部の天井部は低く狭く、前記バンド本体が挿通可能な前記バンド本体の厚み同様の間口に形成されており、前記バンド本体を結束する際、挿通時はバンド本体が前記係止爪の上部をＳ字状のように通過し，結束時には前記バンド本体の係止部が前記係止爪に嵌合係止され、前記バンド本体が一線状態になり，強固な結束を可能としたことを特徴とする請求項１に記載の結束バンド。
【請求項３】
前記バンド保持部の天面には前記バンド本体を挿入可能なバンド挿入口を有し、前記バンド保持部内部には、前記バンド本体の連結片と連結できる連結部が設けられており、前記バンド保持部の底部にはバンド可動部が設けられており、これにより前記バンド保持部と前記バンド本体の連結を容易にし、且つバンドの前後の可動域を広げ、前記バンド本体の交換も自在としたことを特徴とする請求項１又は請求項２に記載の結束バンド。
【請求項４】
前記バンド本体の両側面には等間隔に複数の凹状のカット部が設けられており、このカット部の位置で切り取ることを可能としたことを特徴とする請求項１から請求項３のいずれかに記載の結束バンド。
【発明の詳細な説明】
【技術分野】
【０００１】  本発明は、例えば結束及びその解除を容易に行え、且つ繰り返し使用できる結束バンドに関する。
【背景技術】
【０００２】  従来、用いられる結束バンドの一例として特許文献１に記載されたものが知られている。一般的に結束バンドは、結束保持するために、帯状をなし、一方の面に長手方向に沿って直角に複数の鋸歯状の係止部を持つバンド部と、バンド部の一端に一体的に形成されたバンド保持部から成り、バンド保持部はバンド部を挿通可能なバンド挿通孔とバンド挿通孔内にバンドを係止する係止爪が形成されており、環状にして一定方向よりバンド部を挿通孔に挿通することでバンド部の係止歯がバンド挿通孔内の係止爪に係止されることで結束される。【０００３】  従来、結束バンドのバンド保持部のバンド挿通孔は、バンド部が外れないようにするために筒穴状に形成されているのが一般的である。【０００４】
【特許文献１】  特開２０１１−９４７７１号公報
【発明の開示】
【発明が解決しようとする課題】
【０００５】  しかしながら、このような筒穴状の構造の結束バンドでは、一旦バンドを挿通し、結束すると、締め増しすることはできても緩めることはできないため、結束時の微調整ができない、又、一旦結束したバンドは外すことができず、結束を解除する場合、ハサミ等で切って結束を解除しなければならず、利便性が悪い。【０００６】  又、従来の結束バンドのバンド保持部は、バンドに一体成形されているものが殆どで、且つバンドに対して直角にバンド挿通孔が設けられていることから、バンドをバンド挿通孔へ挿通し、バンド挿通孔より引き出されたバンド残余部分が、環状に結束されたバンドに沿わず、跳ねた状態になり、跳ねた先端部で指先を傷つけたり、狭いスペースなどでは他の物に接触しないように残余部分をハサミ等で切ったりするなど煩わしさもあり、又、その切り取った後の残余部分の切り口の角で指など傷つける恐れもある。一方、バンド挿通孔の係止爪を可動できるように係止爪部に舌片状などの可動片を設け、その可動片を可動させることで係止爪とバンドの係止部との係止状態を外し、結束を解除でき、何度でも使用できる結束バンドもある。【０００７】  しかしながら、前記のような結束バンドの可動片は挿通孔下側から係止爪に舌片のようにして設けられているのが殆どであり、環状にしてバンドを結束した際、挿通孔から引き出されたバンド残余部分の内側（下側）に位置するため、結束を解除する場合、外し辛く、又、可動片は小さく、指先などで操作しなければならず、指先を傷つけたりする恐れがあった。【０００８】  本発明は、上記のような事情に基づいて成されたものであり、バンドの結束及びその解除が容易に行え、且つ繰り返し使用できる結束バンドの提供を目的とする。
【課題を解決するための手段】
【０００９】  上記課題を解決するため、本発明の結束バンドによれば、帯状をなし一方の面に長手方向に沿って、等間隔に複数設けられた凹状の係止部を備え、その帯状の一端は部分的に棒状を成し、さらにその一端に連結片が設けられたバンド本体と、前記バンド本体の連結片と連結可能な連結部を有し、且つ前記バンド本体を挿通し、適宜の位置で係止できるバンド保持部とを備える結束バンドであって、前記バンド保持部には、前記バンド本体を挿通可能な挿通溝を有し、前記挿通溝内には、前記バンド本体の係止部を係止する係止爪を有し、前記バンド保持部側面片側何れかに前記挿通溝へ繋がるバンド引き出しが可能な開口部が設けられており、前記バンド本体を前記バンド保持部に結束する際、前記バンド保持部の挿通溝に前記バンド本体を挿通し、適宣の位置で環状に結束ができ、且つ前記開口部から前記バンド本体を引き出すことで、結束された状態の前記バンド本体を容易に解除できることを可能としたことを特徴とする。【００１０】  前記バンド保持部の挿通溝の天井部の高さは、二段層に形成されており、前記バンド本体を挿通する側の前記挿通溝の入り口部の天井部は、高く広い間口に形成され、その床部には前記バンド本体の係止部を嵌合係止する係止爪を有し、前記バンド本体を引き出す側の前記挿通溝の出口部の天井部は低く狭く、前記バンド本体が挿通可能な前記バンド本体の厚み同様の間口に形成されており、前記バンド本体を結束する際、挿通時はバンド本体が前記係止爪の上部をＳ字状のように通過し，結束時には前記バンド本体の係止部が前記係止爪に嵌合係止され、前記バンド本体が一線状態になり，強固な結束を可能としたことを特徴とする。【００１１】  前記バンド保持部の天面には前記バンド本体を挿入可能なバンド挿入口を有し、前記バンド保持部内部には、前記バンド本体の連結片と連結できる連結部が設けられており、前記バンド保持部の底部にはバンド可動部が設けられており、これにより前記バンド保持部と前記バンド本体の連結を容易にし、且つバンドの前後の可動域を広げ、前記バンド本体の交換も自在としたことを特徴とする。【００１２】  前記バンド本体の両側面には等間隔に複数の凹状のカット部が設けられており、このカット部の位置で切り取ることを可能としたことを特徴とする。
【発明の効果】
【００１３】  本発明における結束バンドによれば、バンドの結束及びその解除が容易に行え、且つ繰り返し使用できる結束バンドの提供を目的とする。
【発明を実施するための最良の形態】
【００１４】  以下、本発明の実施の形態を図面に基づき詳細に説明する。【００１５】  ［第１実施形態］
図１は、本発明の第１実施形態における結束バンド１を示す図で（ａ）は、その平面図であり、（ｂ）は、その側断面図である。図２は、バンド本体２が連結された状態のバンド保持部３を部分破断して示す平面図である。図３は、バンド本体２が連結された状態のバンド保持部３を示す正面図である。図４は、バンド本体２が連結された状態のバンド保持部３を示す図２のＡ−Ａ線に沿える側断図面である。図５はバンド本体２を示す図で（ａ）は、その平面図であり、（ｂ）は、その側断面図である。図６は、バンド保持部３の挿通溝４にバンド本体２が、挿通してゆく過程を示す側断面説明図である。図７は、バンド保持部３の挿通溝４にバンド本体２が、挿通係止された状態を示す側断面説明図である。図８は、バンド保持部３に連結されたバンド本体２の可動域を示す側断面説明図である。図９は、バンド本体とバンド保持部が一体成形された状態を示す斜視図である。【００１６】  バンド本体２は、図５（ａ）（ｂ）に示すように帯状をなし、一方の面に長手方向に沿って等間隔に複数設けられた凹状の係止部１６を持ち、その帯状の一端は部分的に棒状部１８を成し、さらにその一端に連結片１９が設けられており、バンド本体２の両側面には等間隔に複数の凹状のカット部１７が設けられている。【００１７】  バンド保持部３は、図４に示すように挿通溝４の天井部８の高さが二段層に形成されており、バンド本体２を挿通する側の挿通溝４の入り口部５の天井部８は高く広い間口に形成され、その床部１２にバンド本体２の係止部１６を嵌合係止する係止爪６が設けられており、バンド本体２を引き出す側の挿通溝４のの出口部７の天井部８は低く狭い間口に形成されされている。【００１８】  又、図２、図３及び図４に示すようにバンド保持部３の一部は天面部１３から底部１５まで貫通状に連結部１０が形成されており、バンド本体２を挿入連結できる工夫がなされている。又、バンド保持部３の天面部１３には、バンド本体２の抜け落ち防止及び装飾目的に保持キャップ１３が設けられている。【００１９】  図１から図８に示す例を以て、さらに本発明の結束バンド１の作用効果について詳しく説明する。【００２０】    本発明の結束バンド１は、図１から図８に示すようにバンド本体２とバンド保持部３が、各々独立した状態で形成されており、これらを連結させることで、一つの結束バンド１になるように工夫がなされている。これにより、バンド本体２とバンド保持部３の素材材料を変えることができる。例えば、バンド保持部３を剛性や耐久性のある金属系の材料にすることで、より強固な結束性を作り出すことが可能となり、又、バンド本体２のみを交換することで繰り返し使用することも可能である。【００２１】  又、本発明の結束バンド１は、バンド本体２とバンド保持部３を連結させる仕様にすることで、バンド本体２に可動性を持たせることが可能となり、図８で示すように前後に自在な可動域を持たせることができ、例えばフラットな物品などの結束にもバンド本体２とバンド保持部３が、その物品に追随するような状態で結束される為、従来の一体成形された結束バンドのように結束されたバンド部分が跳ね上がるようなこともなく、嵩張りのない整然とした状態での結束が���能となる。【００２２】  上記についてさらに詳しく説明すると、図２、図３及び図４に示すようにバンド本体２は、バンド保持部３の天面部１３から挿入し、バンド保持部３内部の連結部１０に連結される。又、図５に示すようにバンド本体２の一端に設けられた棒状部１８と連結片１９がＴ字型円柱形状に形成されていることで、バンド保持部３内部の連結部１０に連結片１９が収納され、しっかりと連結される。ただし、前記形状は、一例を示すものであり、上記の目的を達成できる形状であれば、これに限定するものではなく、他の形状、仕様でも良い。【００２３】  又、バンド保持部３の連結部１０は、図２、図３及び図４に示すようにバンド本体２の連結片１９を包み込むように連結し、その他のバンド部分はバンド保持部３の底部１５より外側へ引き出される。又、その底部１５にはバンド本体２の前後の可動を可能にする可動域部１１が設けられている。これらにより、バンド本体２はバンド保持部３にしっかりと連結され左右のブレを抑制し、前後の自在な可動域を持たせることが可能となる。【００２４】  又、図４に示すようにバンド保持部３には挿通溝４が設けられており、挿通溝４の天井部８の高さは、二段層に形成されてる。バンド本体２を挿通する側の挿通溝４の入り口部５の天井部８は、高く広い間口に形成され、その床部１２にはバンド本体２の係止部１６を嵌合係止する係止爪６を有し、バンド本体２を引き出す側の挿通溝４の出口部７の天井部は低く狭く、バンド本体２が挿通可能なバンド本体２の厚み同様の間口に形成されている。【００２５】  バンド保持部３の挿通溝４の構造を上記のような構成にすることで、バンド本体２を挿通溝４に挿通し、挿通溝４の出口部７側に引き出そうとする際、図６に示すように挿通溝４の入り口部５側は間口が広いため、その床部１２に設けられた係止爪６にバンド本体２の係止部１６が係止解除を繰り返すように上下可動しつつＳ字のような状態で挿通溝４の出口部７側に抜けていく。又、挿通溝４の出口部７側の間口は、図６に示すようにバンド本体２の厚みと同程度の間口のため、引き出されたバンド本体２は上下から一線状にしっかりと挟まれ、その力の作用とバンド本体２自体の復元作用で一線状になろうとするため、バンド保持部３の係止爪６にバンド本体２の係止部１６が係止された場合、その位置を保持し結束状態がしっかりと維持される。又、さらに結束状態を高める為に、バンド保持部３の天井部８に弾性素材（例えば板バネなど）を装備して上からバンド本体２を押さえるようにしても良い。（図示せず）【００２６】  又、バンド保持部３は図４に示すように片側がコの字状に空いた挿通溝４から続く開口部９が設けられている。これにより、挿通溝４に結束された状態のバンド本体２をやや引っ張りながら開口部９より引き出すことで、容易に結束状態を解除することができ、結束の締め直しや他の物品などに再度結束することも可能となる。【００２７】  上記のバンド保持部３は、成形が容易な合成樹脂などが望ましいが、前述したように強度や耐久性を考慮すれば金属系やその他の材料でも良い。又、図示例で示すバンド保持部３の形状は円状に形成されているが、形状はこれに限定するものではなく、方形状や多���形などでも良い。【００２８】  又、図２、図３及び図４に示すようにバンド保持部３の天面部１３には、保持キャップ１４が装備されており、バンド本体２の抜け落ち防止やバンド保持部３の保護及び美観的効果もある。保持キャップ１４の材料としては緩衝効果の高いゴム材などが望ましいが、合成樹脂やその他の材料でも構わない。【００２９】  又、図５に示すようにバンド本体２の両側面には、等間隔に複数の凹状のカット部１７が設けられている。物品などに結束バンド１を結束後のバンド本体２の残余部分を、この凹状のカット部１７で鋏などでカットすることが可能で、これにより従来の結束バンドのようにカットした部分の切り口の角が鋭角になることなく、カットした部分の切り口が滑らかになり、切り口で指や手を傷つけるようなことが軽減され安全である。【００３０】  上記、バンド本体２の成形材料としては、成形が容易な合成樹脂などが望ましいが，上記の目的を達成できる材料であれば、これに限定するものではなく、他の材料でも構わない。【００３１】  又、本発明の結束バンド１は前述したように、バンド本体２とバンド保持部３が各々独立した状態で形成されており、これらを連結させることで、一つの結束バンド１になることから、バンド本体２に可動性を持たせることが可能となり、よって図８に示すようにバンド本体２とバンド保持部３を一線状にすることも可能であり、これにより結束バンド１自体を複数繋げて（連結させて）使用することができる。したがって結束バンド１一本では結束できなかった物品等も、これにより結束が可能となる。【００３２】  又、バンド本体２とバンド保持部３は前述したようなことから、別々に形成することが望ましいが、製造コスト等を考慮すれば、図９に示すように一体成形することも可能である。【００３３】  以上、述べたように本発明における結束バンドでは、バンドを結束した状態からでもバンド保持部の開口部からバンド本体を横側に引き抜くだけで容易に結束を解除することができ、繰り返し使用することができる。又、フラットな形状の物品等に結束しても、従米の結束バンドのように結東後のバンド残余部分が跳ね上がるようなことがなく、嵩張りのない状態で物品等に追随するように整然と結束される。又、バンド本体を鋏等でカットする場合においてもバンド本体のカット部でカットすることで、その切り口が鋭角になることなく滑らかになる為、切り口で指先や手を傷つけるようなことが軽減される。さらには、バンド本体とバンド保持部を自在に交換することも可能である。【００３４】  以上、本発明の実施形態を説明したが、本発明は、上記実施形態に限定されるものではなく、本発明の範囲は特許請求の範囲によって記され、特許請求の範囲と均等の意味及び範囲内において種々の変更が可能である。
【図面の簡単な説明】
【００３５】
【図１】本発明の第１実施形態における結束バンド１を示す図で（ａ）は、その平面図であり、（ｂ）は、その側断面図である。
【図２】バンド本体２が連結された状態のバンド保持部３を部分破断して示す平面図である。
【図３】バンド本体２が連結された状態のバンド保持部３を示す正面図である。
【図４】バンド本体２が連結された状態のバンド保持部３を示す図２のＡ−Ａ線に沿える側断図面である。
【図５】バンド本体２を示す図で（ａ）は、その平面図であり、（ｂ）は、その側断面図である。
【図６】バンド保持部の挿通溝にバンド本体が、挿通してゆく過程を示す側断面説明図である。
【図７】バンド保持部の挿通溝にバンド本体が、挿通係止された状態を示す側断面説明図である。
【図８】バンド保持部に連結されたバンド本体の可動域を示す側断面説明図である。
【図９】バンド本体とバンド保持部が一体成形された状態を示す斜視図である。
【符号の説明】
【００３６】１          結束バンド
２          バンド本体
３          バンド保持部
４          挿通溝
５          入り口部
６          係止爪
７          出口部
８          天井部
９          開口部
１０        連結部
１１        可動域部
１２        床部
１３        天面部
１４        保持キャップ
１５        底部
１６        係止部
１７        カット部
１８        棒状部
１９        連結片
２０        バンド挿入口
【図１】
2014092264.tif 000003
【図２】
2014092264.tif 000004
【図３】
2014092264.tif 000005
【図４】
2014092264.tif 000006
【図５】
2014092264.tif 000007
【図６】
2014092264.tif 000008
【図７】
2014092264.tif 000009
【図８】
2014092264.tif 000010
【図９】
2014092264.tif 000011